(57)【要約】      （修正有）【課題】二つのジッパー付き袋を有しても、二つのジッパーのファスナーが互いに干渉せず、利用が便利となるスーツケースを提供する。【解決手段】側面には第１基準平面２１と、第１基準平面と実質的に平行で、かつ第１基準平面より外側に位置する第２基準平面を有し、ケースジッパー２２により、収容空間を開閉することが可能なケース本体と、第１基準平面に設置され、第１ジッパー３１と第１基準平面の間は第１ジッパーの高さＤ１を有する第１ジッパー付き袋と、第２基準平面に設置され、第２ジッパー４１と第１基準平面の仮想延長面の間は第２ジッパーの高さＤ２を有し、第２ジッパーの高さは第１ジッパーの高さより大きい第２ジッパー付き袋と、を含み、第１ジッパー付き袋と第２ジッパー付き袋はケース本体の同じ側面に位置し、第１基準平面と第２基準平面との間に、段差部を有する。【選択図】図４
0003207490.tif 000002
【実用新案登録請求の範囲】
【請求項１】
ケースジッパーと、収容空間と、を有し、その側面は第１基準平面と、前記第１基準平面と実質的に平行であり、かつ前記第１基準平面より外側に位置する第２基準平面を有し、前記ケースジッパーにより、前記収容空間を開閉することが可能なケース本体と、
前記第１基準平面に設置されている第１ジッパー付き袋であって、第１ジッパーが結合されており、前記第１ジッパーと前記第１基準平面の間は第１ジッパーの高さを有する第１ジッパー付き袋と、
前記第２基準平面に設置されている第２ジッパー付き袋であって、第２ジッパーが結合されており、前記第２ジッパーと前記第１基準平面の仮想延長面の間は第２ジッパーの高さを有し、前記第２ジッパーの高さは前記第１ジッパーの高さより大きい第２ジッパー付き袋と、
を含み、
前記第１ジッパーにより、前記第１ジッパー付き袋は前記ケース本体の前記第１基準平面に対して開閉することが可能であり、
前記第２ジッパーにより、前記第２ジッパー付き袋は前記第２基準平面に対して開閉することが可能であり、
前記第１ジッパー付き袋と前記第２ジッパー付き袋は前記ケース本体の同じ側面に位置し、
前記第１基準平面と前記第２基準平面との間に、段差部を有することを特徴とする、
スーツケース。
【考案の詳細な説明】
【技術分野】
【０００１】
本考案は、スーツケースに関し、特に、二つのジッパー付き袋を有するスーツケースに関するものである。
【背景技術】
【０００２】
品物を収容する収容袋はジッパーで袋を開閉することが一般的である。収容袋が単一である場合には、ジッパーの開閉がスムーズであるが、同じ装置平面１０に二つ以上のジッパーを設けると、図１及び図２に示すように、第１収容袋１１が第１ジッパー１１１を有し、第２収容袋１２が第２ジッパー１２１を有し、第１収容袋１１の第１ジッパー１１１と装置平面１０の間は第１ジッパーの高さＨ１を有し、第２収容袋１２の第２ジッパー１２１と装置平面１０の間は第２ジッパーの高さＨ２を有し、第１ジッパーの高さＨ１は第２ジッパーの高さＨ２と同じである。このような構成によれば、第１ジッパー１１１と第２ジッパー１２１とのファスナーの移動経路は同じ高さに位置するため、第１ジッパー１１１と第２ジッパー１２１とのファスナーは、隣接位置に同時に移動すると、互いに干渉しやすい問題がある。
【考案の概要】
【考案が解決しようとする課題】
【０００３】
本考案の主な目的は、二つのジッパー付き袋を有しても、二つのジッパーのファスナーが互いに干渉しないスーツケースを提供することにある。  
【課題を解決するための手段】
【０００４】
本考案のスーツケースによると、ケースジッパーと、収容空間と、を有し、その側面は基準平面を有し、ケースジッパーにより、収容空間を開閉することが可能なケース本体と、基準平面に第１ジッパーが結合されており、第１ジッパーと基準平面の間は第１ジッパーの高さを有する第１ジッパー付き袋と、ケース本体の表面に第２ジッパーが結合されており、第２ジッパーと基準平面の間は第２ジッパーの高さを有し、第２ジッパーの高さは第１ジッパーの高さと異なる第２ジッパー付き袋と、を含み、第１ジッパーにより、第１ジッパー付き袋はケース本体の基準平面に対して開閉することが可能であり、第２ジッパーにより、第２ジッパー付き袋はケース本体に対して開閉することが可能であり、第１ジッパー付き袋と第２ジッパー付き袋はケース本体の同じ側面に位置することを特徴とする。
【０００５】
本考案のスーツケースによると、第１ジッパー付き袋の第１ジッパー全体は基準平面に平行し、第２ジッパー付き袋の第２ジッパー全体は基準平面に平行し、第２ジッパーの高さは第１ジッパーの高さと異なることを特徴とする。  
【考案の効果】
【０００６】
本考案のスーツケースによれば、二つのジッパー付き袋を有しても、二つのジッパーのファスナーが互いに干渉しないという効果を有する。
【図面の簡単な説明】
【０００７】
【図１】従来の二つのジッパー付き袋を有するスーツケースを示す斜視図である。
【図２】従来の二つのジッパー付き袋を有するスーツケースを示す側面図である。
【図３】本考案の一実施例を示す外観図である。
【図４】本考案の一実施例を示す側面図である。
【考案を実施するための形態】
【０００８】
以下、本考案の実施の形態を図面に基づいて説明する。
図３及び図４を参照する。図３は本考案の一実施例を示す外観図であり、図４は本考案の一実施例を示す側面図である。本実施例のスーツケースは、ケース本体２０と、第１ジッパー付き袋３０と、第２ジッパー付き袋４０と、を含む。
【０００９】
ケース本体２０は、ケースジッパー２２と、収容空間２３と、を有し、その側面は基準平面２１を有する。ケースジッパー２２により、収容空間２３を開閉することが可能である。
【００１０】
第１ジッパー付き袋３０は、基準平面２１に第１ジッパー３１が結合されている。第１ジッパー３１により、第１ジッパー付き袋３０はケース本体２０の基準平面２１に対して開閉することが可能である。第１ジッパー３１と基準平面２１の間は第１ジッパーの高さＤ１を有する。
本実施例では、第１ジッパー３１全体は基準平面２１に平行し、且つ第１ジッパー付き袋３０のケース本体２０に面する面の反対側は、第１ジッパー付き袋の外面３２であり、第１ジッパー付き袋の外面３２は平面を呈する。
【００１１】
第２ジッパー付き袋４０は、ケース本体２０の表面に第２ジッパー４１が結合されている。第２ジッパー４１により、第２ジッパー付き袋４０はケース本体２０に対して開閉することが可能である。第２ジッパー４１と基準平面２１の間は第２ジッパーの高さＤ２を有する。第２ジッパーの高さＤ２は、図４に示すように、第１ジッパーの高さＤ１と異なる。
本実施例では、第２ジッパー４１全体は基準平面２１に平行し、且つ第２ジッパー付き袋４０のケース本体２０に面する面の反対側は、第２ジッパー付き袋の外面４２であり、第２ジッパー付き袋の外面４２は平面を呈する。
【００１２】
ケース本体２０の収容空間２３、第１ジッパー付き袋３０及び第２ジッパー付き袋４０は、品物を収容することが可能である。すなわち、本実施例のスーツケースの容量は大きい。特に、第１ジッパー付き袋３０と第２ジッパー付き袋４０はケース本体２０の同じ側面に位置し、第１ジッパー付き袋３０の第１ジッパー３１と第２ジッパー付き袋４０の第２ジッパー４１との互いに最も近接するエッジの基準平面２１に対する高さは、図４に示すように、互いに異なるため、二つのジッパー付き袋を有しても、第１ジッパー３１と第２ジッパー４１とのファスナーは互いに干渉しない。
このように、第１ジッパー３１と第２ジッパー４１とのファスナーの移動はスムーズとなり、本実施例のスーツケースの利用は便利となる。
【００１３】
本考案は、スーツケースに適用することができる。
【符号の説明】
【００１４】
１０    装置平面
１１    第１収容袋
１２    第２収容袋
２０    ケース本体
２１    基準平面
２２    ケースジッパー
２３    収容空間
３０    第１ジッパー付き袋
３１    第１ジッパー
３２    第１ジッパー付き袋の外面
４０    第２ジッパー付き袋
４１    第２ジッパー
４２    第２ジッパー付き袋の外面
１１１  第１ジッパー
１２１  第２ジッパー
Ｈ１    第１ジッパーの高さ
Ｈ２    第２ジッパーの高さ
Ｄ１    第１ジッパーの高さ
Ｄ２    第２ジッパーの高さ
【図１】
0003207490.tif 000003
【図２】
0003207490.tif 000004
【図３】
0003207490.tif 000005
【図４】
0003207490.tif 000006